(57)【要約】【課題】搬送時に梱包の容積を低減できるとともに、軽量であって、且つ、外力により生じる衝撃を変形により緩和でき、そして復元できるパーティションを提供すること。【解決手段】パーティション１は、一方向に長い一対の第１フレーム２１及び一方向に長く構成され、長手方向に沿って複数配置された一方向に長い孔部２２ａを有する一対の第１フレーム２１に連結された一対の第２フレーム２２を有する方形枠状のフレーム１１と、引っ張り方向に対して伸縮するバンド部３１を有し、フレーム１１に固定される複数のルーバー１２と、を備える。【選択図】      図６
2018053672.tif 000002
【特許請求の範囲】
【請求項１】
一方向に長い一対の第１フレーム、及び、一方向に長く構成され、前記一対の第１フレームに連結された一対の第２フレームを有する方形枠状のフレームと、
引っ張り方向に対して伸縮するバンド部を有し、前記フレームに固定される複数のルーバーと、
を備えるパーティション。
【請求項２】
前記第２フレームは、その長手方向に沿って複数配置された一方向に長い孔部を有し、
前記ルーバーは、前記バンド部の両端部にそれぞれ固定され、先端の厚み方向の幅が前記孔部の長手方向に直交する方向の幅よりも小さく、且つ、後端の厚み方向の幅が前記孔部の長手方向に直交する方向の幅よりも大きく構成され、外力により前記後端の厚み方向の幅が可変する係合部を有する請求項１に記載のパーティション。
【請求項３】
前記孔部の長手方向は、前記第１フレームの長手方向に対して交差する請求項２に記載のパーティション。
【請求項４】
前記係合部は、一枚の樹脂材料の薄板により構成され、前記バンド部の端部に固定手段により固定される固定部と、前記バンド部からそれぞれ離間して配置され、前記バンド部に対して回転する返し部と、を有する請求項２に記載のパーティション。
【請求項５】
前記一対の第１フレームは、両端部に設けられ、対向する前記第１フレーム側に切欠部を有する凹部を有し、
前記一対の第２フレームは、両端部に設けられた前記切欠部及び前記凹部に係合する突起部を有する請求項２に記載のパーティション。
【発明の詳細な説明】
【技術分野】
【０００１】
本発明は、空間を仕切るパーティションに関する。
【背景技術】
【０００２】
現在、オフィス等の空間において、所定の区画を仕切る場合や、奥側が視認できないように視覚的に遮る場合にパーティションを設置することが行われている。このようなパーティションは、フレームに板状のパネルが設けられることで構成される（例えば、特許文献１参照）。
【先行技術文献】
【特許文献】
【０００３】
【特許文献１】特開２００９−１８５５７０号公報
【発明の概要】
【発明が解決しようとする課題】
【０００４】
上述したパーティションでは、以下の問題があった。即ち、パーティションは、フレームに板状のパネルが設けられることから、空気の流れが阻害される虞や、パーティションの奥側を視認したいときに視認できないこともある。また、パーティションによって奥側が視認できないように遮られることから、閉塞感が生じる、と言う問題もある。
【０００５】
また、パーティションは、区画を仕切る為に用いられることから、ある一定の大きさを有する。また、パーティションは、金属材料、樹脂材料又は木材等が用いられる。このため、パーティション自体の重量や、フレームに設けられる板状の部材の重量が重くなる。このため、パーティションの搬送や設置等の作業性が悪い、と言う問題がある。
【０００６】
例えば、フレームにパネルではなく、ルーバーを複数設けることも考えられるが、フレームへルーバーを取り付ける工程が煩雑になるとともに、ルーバーの寸法のばらつき等により、当該部材の長さ寸法がフレームの幅寸法よりも長い場合や短い場合もあり、フレームへ取り付けることが困難なことがある。
【０００７】
また、パーティションは、主として分解した状態で梱包された梱包品を設置場所に搬送し、設置場所で組み立てる。しかし、パネルやルーバーを用いるパーティションは、搬送するときに梱包したパーティションの容積が大きく、また、重いことから、搬送性が悪い、という問題がある。このため、搬送時の梱包したパーティションの容積の低減及び軽量化が求められている。
【０００８】
さらに、フレームに設けられたパネルは、剛性が高く、変形しにくい材料が用いられることから、パーティションに物体や人が衝突した場合には、騒音が生じる虞や、パーティションが破損する虞や倒れる虞がある。
【０００９】
そこで本発明は、搬送時に梱包の容積を低減できるとともに、軽量であって、且つ、外力により生じる衝撃を変形により緩和でき、そして復元できるパーティションを提供することを目的とする。
【課題を解決するための手段】
【００１０】
前記課題を解決し目的を達成するために、本発明のパーティションは、次のように構成されている。
【００１１】
本発明の一態様として、パーティションは、一方向に長い一対の第１フレーム、及び、一方向に長く構成され、長手方向に沿って複数配置された一方向に長い孔部を有する前記一対の第１フレームに連結された一対の第２フレームを有する方形枠状のフレームと、引っ張り方向に対して伸縮するバンド部、及び、前記バンド部の両端部にそれぞれ固定され、先端の厚み方向の幅が前記孔部の長手方向に直交する方向の幅よりも小さく、且つ、後端の厚み方向の幅が前記孔部の長手方向に直交する方向の幅よりも大きく構成され、外力により前記後端の厚み方向の幅が可変する係合部を有する複数のルーバーと、を備える。
【発明の効果】
【００１２】
本発明によれば、搬送時に梱包の容積を低減できるとともに、軽量であって、且つ、外力により生じる衝撃を変形により緩和でき、そして復元できるパーティションを提供することが可能となる。
【図面の簡単な説明】
【００１３】
【図１】本発明の一実施形態に係るパーティションの構成、及び、使用の一例を示す斜視図。
【図２】同パーティションの構成を示す側面図。
【図３】同パーティションの構成を示す斜視図。
【図４】同パーティションの構成を示す斜視図。
【図５】同パーティションに用いられるフレーム及び複数のルーバーの一部の構成を示す斜視図。
【図６】同フレーム及び複数のルーバーの一部の構成を部分的に示す斜視図。
【図７】同フレームの要部構成を示す斜視図。
【図８】同フレーム及びルーバーの要部構成を示す斜視図。
【図９】同ルーバーの構成を示す斜視図。
【図１０】同ルーバーに用いられる係合部のブランクを示す平面図。
【図１１】同ルーバーの組立工程の一例を示す斜視図。
【図１２】本発明の変形例に係るパーティションの構成を示す正面図。
【発明を実施するための形態】
【００１４】
以下、本発明の一実施形態に係るパーティション１の構成を、図１乃至図１１を用いて説明する。  
図１は、本発明の一実施形態に係るパーティション１の構成、及び、複数のパーティション１を組み合わせた使用の一例を示す斜視図である。図２乃至図４は、パーティション１の構成及び一枚のパーティション１を正面視及び立ち位置の異なる斜視によってパーティション１の背面に立つ人間の見え方の表す説明図である。
【００１５】
図５は、パーティション１に用いられるフレーム１１及び複数のルーバー１２の一部の構成を示す斜視図、図６はフレーム１１及び複数のルーバー１２の一部の構成を部分的に示す斜視図、図７はフレーム１１の要部構成を示す斜視図、図８はフレーム１１及びルーバー１２の要部構成を示す斜視図、図９はルーバー１２の構成を示す斜視図である。また、図１０はルーバー１２に用いられる係合部のブランク１３２を示す平面図、図１１はルーバー１２の組立工程の一例を示す斜視図である。
【００１６】
図１乃至図４に示すように、パーティション１は、方形枠状のフレーム１１と、複数のルーバー１２と、脚部１３と、を備えている。パーティション１は、複数のルーバー１２によってフレーム１１の開口を覆うことで、少なくとも一方向で視覚的に遮る。パーティション１は、オフィス等の空間において、所定の領域を区画するか又は隔てるために、図１に示すように複数設置するか、又は、図２乃至図４に示すように単数設置することで用いられる。
【００１７】
図１乃至図８に示すように、フレーム１１は、一対の第１フレーム２１と、一対の第２フレーム２２と、一対の第１フレーム２１の一方に設けられるフレームカバー２３と、を備えている。フレーム１１は、第１フレーム２１、第２フレーム２２及びフレームカバー２３が、複数のネジ２４により固定される。
【００１８】
第１フレーム２１は、断面が矩形状に構成された一方向に長い中空棒状に構成される。具体的には、第１フレーム２１は、一対の主面及び一対の主面を連続する一対の側面により構成され、略同一の肉厚を有する矩形筒状に構成される。例えば、第１フレーム２１は、第２フレーム２２よりも長く構成される。
【００１９】
第１フレーム２１は、その両端部に設けられた端面２１ａと、一対の主面の一方の端部に設けられた切欠部２１ｂと、を有する。
【００２０】
端面２１ａは、中空棒状の第１フレーム２１の両端を閉塞する。端面２１ａは、３つの雌螺子部２１ｃを有する。端面２１ａは、第１フレーム２１の端面よりも中心側、具体的には、当該第１フレーム２１の肉厚と同じ距離か又は当該肉厚よりも若干長い距離だけ第１フレーム２１の中心側に設けられる。
【００２１】
即ち、第１フレーム２１は、両端部が端面２１ａにより閉塞されるとともに、両端部に設けられた端面２１ａの外面が第１フレーム２１の両端部の先端よりも窪んだ位置に設けられることで、両端部に凹部２１ｄを有する。雌螺子部２１ｃは、第１フレーム２１の一対の側面間に、当該一対の側面が対向する方向に沿って３つ並んで端面２１ａに配置される。
【００２２】
切欠部２１ｂは、第１フレーム２１の一方の主面の端部の中央側に、当該主面の幅よりも小さい幅で中央部側に設けられた窪みである。切欠部２１ｂは、少なくとも第１フレーム２１の端部から端面２１ａまで形成される。即ち、切欠部２１ｂは、一方の主面の端部に設けられた矩形状の開口である。
【００２３】
第２フレーム２２は、断面が矩形状に構成された一方向に長い中空棒状に構成される。例えば、第２フレーム２２は、第１フレーム２１よりも短く構成される。第２フレーム２２は、面積が最も大きい一対の主面の一方の主面に複数設けられた孔部２２ａと、一対の主面の他方の主面に設けられた開口部２２ｂと、を有する。また、第２フレーム２２は、開口部２２ｂが設けられた主面の両端にそれぞれ突起部２２ｃを備える。
【００２４】
複数の孔部２２ａは、第２フレーム２２の一方の主面の長手方向に沿って並べて配置される。孔部２２ａは、一方向に長く構成される。孔部２２ａは、その長手方向に直交する方向の幅が両端部間で略一定に構成される。孔部２２ａの幅は、ルーバー１２の端部の最大厚さと同一又は当該厚さよりも若干大きく構成される。
【００２５】
孔部２２ａは、その長手方向が第２フレーム２２の長手方向に対して交差する方向で、第２フレーム２２の一方の主面に配置される。より具体的には、孔部２２ａの長手方向は、第２フレーム２２の長手方向に対して交差するが、第２フレーム２２の長手方向に対して直交しない。例えば、孔部２２ａの長手方向は、第２フレーム２２の一方の主面の長手方向に対して２５°程度に傾斜する。
【００２６】
孔部２２ａは、第２フレーム２２の一方の主面の両端部側から等間隔に複数配置され、第２フレーム２２の長手方向に直交する方向で、隣り合う孔部２２ａの両端部が重なる。換言すると、フレーム１１の正面から視認したときに、孔部２２ａに配置された複数のルーバー１２の一部が重なり合うように、第２フレーム２２は、複数の孔部２２ａが配置される。
【００２７】
開口部２２ｂは、第２フレーム２２の他方の主面の両端部間に渡って開口する。例えば、開口部２２ｂは、第２フレーム２２の一方の主面の両端側にそれぞれ配置された孔部２２ａと対向する位置から、第２フレーム２２の一方の主面の他端側に配置された孔部２２ａと対向する位置まで形成される。第２フレーム２２の一方の主面の両端側にそれぞれ配置された孔部２２ａと対向する位置とは、例えば、最端の孔部２２ａの中央部であるが、開口部２２ｂから作業者の手指を挿入して、孔部２２ａに挿入されたルーバー１２の端部を触れるのであれば、開口部２２ｂが設けられる範囲は限定されない。
【００２８】
突起部２２ｃは、第１フレーム２１の凹部２１ｄに係合可能に構成される。突起部２２ｃは、第２フレーム２２の他方の主面の端部から、当該主面の面方向に沿って突出して設けられ、板状に構成される。突起部２２ｃは、第２フレーム２２の長手方向に対して直交する方向の幅が、異なる二つの幅により構成される。
【００２９】
具体的には、突起部２２ｃは、第１部位２２ｄ及び第２部位２２ｅを有する。第１部位２２ｄは、第２フレーム２２の他方の主面と連続して設けられ、切欠部２１ｂと同じ幅か若干小さい幅であって、切欠部２１ｂが設けられた第１フレーム２１の肉厚よりも若干長い長方形状に構成される。
【００３０】
第２部位２２ｅは、第１部位２２ｄに連続して設けられ、第１フレーム２１の端面２１ａと同形状に構成される。即ち、第２部位２２ｅは、第１フレーム２１の端面と同じ幅及び長さか、又は、当該端面２１ａよりも若干小さい幅及び長さに構成される。また、第２部位２２ｅは、端面２１ａの３つの雌螺子部２１ｃと対向する３つの丸穴２２ｆを有する。丸穴２２ｆは、雌螺子部２１ｃに螺合するネジ２４が挿入可能な内径に構成される。
【００３１】
即ち、第２フレーム２２は、他方の主面の端部に、中途部が切欠部２１ｂに挿入される括れを有して凹部２１ｄに挿入される矩形板状に構成された突起部２２ｃが設けられるとともに、当該突起部２２ｃに３つの丸穴２２ｆが設けられる。第２フレーム２２は、この突起部２２ｃが第１フレーム２１の端面２１ａに固定される。
【００３２】
フレームカバー２３は、一対の第２フレーム２２の一方に設けられる。フレームカバー２３は、第２フレーム２２の、開口部２２ｂが設けられた主面、突起部２２ｃ、及び、一対の側面を覆う断面がコ字状の棒状に構成される。フレームカバー２３は、突起部２２ｃを覆う部位に、それぞれ２つの丸穴を有する。当該丸穴は、フレームカバー２３の第２フレーム２２の突起部２２ｃと対向する位置に設けられる。当該丸穴は、第１フレーム２１の端面２１ａに一方向に並べられた３つの雌螺子部２１ｃ及び第２フレーム２２の３つの丸穴２２ｆのうち、両端側の２つと対向する位置に設けられる。換言すると、フレームカバー２３は、端面２１ａの３つの雌螺子部２１ｃのうち、中央の雌螺子部２１ｃを覆う。
【００３３】
図５、図６、図８及び図９に示すように、ルーバー１２は、一方向に長いバンド部３１と、バンド部３１の両端に設けられた係合部３２と、係合部３２をバンド部３１に固定する固定手段である固定具３３と、を備えている。
【００３４】
バンド部３１は、一方向に長い帯状に構成される。バンド部３１は、例えばゴムが編みこまれた布材により構成される。バンド部３１の長さは、一対の第２フレーム２２の孔部２２ａが設けられた主面間の長さと略同一の長さに構成される。バンド部３１は、長手方向に引っ張り方向に力が加わると伸長し、当該力が解除されると復元する。即ち、バンド部３１は、一方向に伸縮可能に構成される。なお、バンド部３１は、長手方向に直交する方向においては、伸縮しない構成が好ましい。
【００３５】
即ち、バンド部３１は、長手方向である一方向にのみ伸縮可能に構成されるとともに、一方向に伸びたときに、その幅が可変しない材料が好ましい。バンド部３１は、第２フレーム２２の孔部２２ａの幅よりも薄く構成されるとともに、孔部２２ａの長さと同一か又は若干小さい幅を有する。即ち、バンド部３１は、孔部２２ａに挿入可能に構成される。
【００３６】
係合部３２は、バンド部３１の両端部にそれぞれ設けられる。係合部３２は、バンド部３１の端部に固定される固定部３２ａと、固定部３２ａの後端に一体に形成され、当該後端からバンド部３１の主面よりも外側に向かって延びる一対の返し部３２ｂと、を備えている。バンド部３１に固定された係合部３２の厚さ方向の幅は、先端側で第２フレーム２２の孔部２２ａの幅よりも小さく構成されるとともに、後端側で孔部２２ａの幅よりも大きく構成される。
【００３７】
固定部３２ａは、係合部３２の先端部を構成する。固定部３２ａは、バンド部３１の両主面を覆うとともに、バンド部３１の先端側で一体に連続する。固定部３２ａは、一枚の部材が二つ折りにされることで構成される。固定部３２ａは、バンド部３１の先端部の両面を覆った状態で、固定具３３によりバンド部３１に固定される。
【００３８】
返し部３２ｂは、係合部３２の後端部を構成する。返し部３２ｂは、一端が固定部３２ａと連続し、他端が、換言すると後端がバンド部３１に固定部３２ａが固定された状態で、バンド部３１の両端から離間して配置される。具体的には、返し部３２ｂは、固定部３２ａと連続する一端がバンド部３１と当接して配置又は近接する位置に配置され、他端に向かってバンド部３１から離間する方向に延びる。
【００３９】
返し部３２ｂは、固定部３２ａと同じ部材の端部を、固定具３３でバンド部３１に固定される固定部３２ａの部位をバンド部３１から離間する方向に折り曲げることで構成される。返し部３２ｂは、外力によって、固定部３２ａとの連結部を中心に、又は、固定部３２ａの固定具３３で固定された部位を中心に、バンド部３１に対して回転可能に構成される。即ち、返し部３２ｂは、外力によって、後端の厚み方向の幅が可変する。
【００４０】
固定具３３は、固定部３２ａをバンド部３１に当接した状態でバンド部３１に固定可能に構成される。固定具３３は、例えば、ホッチキス（登録商標）の留め針である。固定具３３は、固定部３２ａをバンド部３１に２箇所で固定する。具体的には、固定具３３は、固定部３２ａ及び返し部３２ｂの境目側で、固定部３２ａをバンド部３１に固定する。
【００４１】
脚部１３は、例えば、複数のベース４１を有する。脚部１３は、ルーバー１２が取り付けられたフレーム１１を支持可能に構成される。
【００４２】
ベース４１は、脚であり、ルーバー１２が取り付けられたフレーム１１を４点で支持可能に、例えば４つ設けられる。ベース４１は、フレーム１１の凹部２１ｄの端面２１ａの３つの雌螺子部２１ｃのうち両端側の雌螺子部２１ｃにそれぞれネジ２４により取り付けられる。
【００４３】
次に、このように構成されたパーティション１の製造方法を説明する。  
先ず、ルーバー１２を製造する。具体的には、薄板状の樹脂材料、例えばポリプロピレン等の薄板材を抜き加工することで、図１０に示すように、係合部３２のブランク１３２を成形する。また、ブランク１３２の成形時に、図１０に二点鎖線で示すように、ブランク１３２の長手方向に直交する方向に延びる折り線となる圧痕１３２ａを、ブランク１３２の長手方向に沿って３箇所に設ける。このとき、中心の圧痕１３２ａは、固定部３２ａの頂部を構成し、長手方向の両側の２つの圧痕１３２ａは、固定部３２ａ及び返し部３２ｂの境界を、さらに言えば返し部３２ｂの回転中心を構成する。
【００４４】
次いで、図１１に示すように、ブランク１３２を中心の圧痕１３２ａにおいて一方向に曲げ加工、例えば山折りし、二つ折りのブランク１３２でバンド部３１を挟む。次いで、ブランク１３２を、両側の圧痕１３２ａから二つ折りのブランク１３２の先端側に若干離れた位置で、ホッチキスの留め針等の固定具３３によってバンド部３１に固定する。このように、バンド部３１の両端に二つ折りのブランク１３２を固定する。次いで、二つ折りのブランク１３２の両側の圧痕１３２ａを、中心の圧痕１３２ａとは逆方向、即ち谷折りで曲げ加工し、返し部３２ｂを構成する。このとき、返し部３２ｂは、ブランク１３２の樹脂材料の復元力により、固定部３２ａの面方向に対して直交する方向よりもバンド部３１側に復元し、孔部２２ａの幅よりも、一対の返し部３２ｂの後端部間の幅が大きくなる。これらの工程により、ルーバー１２が製造される。
【００４５】
次いで、パーティション１の製造として、先ず、一対の第１フレーム２１の凹部２１ｄに一対の第２フレーム２２の突起部２２ｃを係合させて、矩形枠状に構成する。次いで、ネジ２４を、突起部２２ｃの丸穴２２ｆを介して、凹部２１ｄの端面２１ａの３つの雌螺子部２１ｃのうち中央の雌螺子部２１ｃに螺合させる。これにより、第２フレーム２２が第１フレーム２１に固定される。
【００４６】
次いで、一対の第２フレーム２２の対向する孔部２２ａの一方に、ルーバー１２の係合部３２の一方を挿入する。このとき、係合部３２は、孔部２２ａの内面により返し部３２ｂが押圧されて、第２フレーム２２の一方の主面の内面側、換言すると第２フレーム２２の内部側に移動する。孔部２２ａを通過した返し部３２ｂは、孔部２２ａによる押圧が解除され、返し部３２ｂはバンド部３１から離間する方向に回転する。これにより、一対の返し部３２ｂ間の幅は、孔部２２ａの幅よりも広くなる。
【００４７】
次いで、ルーバー１２の係合部３２の他方を、孔部２２ａの他方に挿入する。このとき、一対の第２フレーム２２間の距離と略同じ長さのバンド部３１は他方の第２フレーム２２側に引っ張られる。これにより、一方の孔部２２ａに挿入された係合部３２の返し部３２ｂは、一方の孔部２２ａ周辺の第２フレーム２２の内面に当接して広がり、固定部３２ａの面方向、換言するとバンド部３１の面方向に直交する姿勢まで回転する。
【００４８】
このため、返し部３２ｂが一方の第２フレーム２２の一方の主面の内面に当接して、係合部３２及び係合部３２に固定されたバンド部３１の端部の移動が規制される。バンド部３１の一方の端部の移動が規制されることで、バンド部３１は、引っ張りにより伸長し、係合部３２の他方が孔部２２ａに挿入可能となる。バンド部３１の他方の端部の係合部３２を孔部２２ａに挿入後、バンド部３１の引っ張りを解除すると、バンド部３１には復元力が生じるが、同様に、他方の係合部３２の返し部３２ｂの端部が他方の第２フレーム２２の内面と当接して返し部３２ｂが広がり、係合部３２及び係合部３２に固定されたバンド部３１の移動が規制される。
【００４９】
このように、係合部３２の返し部３２ｂによって、バンド部３１の両端の移動が規制され、ルーバー１２が第２フレーム２２に固定される。このような工程によって、複数のルーバー１２の全てを一対の第２フレーム２２に固定させる。次いで、一方の第２フレーム２２にフレームカバー２３を固定し、他方の第２フレーム２２に４つのベース４１固定する。なお、フレームカバー２３及びベース４１の固定する側は、複数のルーバー１２間の隙間からパーティション１の奥行きが見える側によって適宜設定される。これらの工程によって、パーティション１が製造される。
【００５０】
なお、パーティション１は、逆の工程によって分解することが可能となり、係合部３２を孔部２２ａから取り外すときは、係合部３２を引っ張り、その後返し部３２ｂをバンド部３１に当接させた状態で孔部２２ａに係合部３２を挿入させれば良い。
【００５１】
このように構成されたパーティション１によれば、ルーバー１２のバンド部３１に引っ張り方向に変形する布材料で構成されることから、軽量であり、また、搬送時に梱包するときには、折りたたんで梱包することが可能となり、搬送時の梱包の容積を低減できる。また、ルーバー１２のバンド部３１は、一定の張力が印加された状態で第２フレーム２２に固定されることから、梱包時に折り痕やしわ等が生じても、フレーム１１に取り付けるときに延ばされて、外観を損ねることがない。
【００５２】
また、ルーバー１２は、弾性変形する構成であることから、外力により印加される衝撃を吸収又は緩和することが可能となる。このため、パーティション１に物体や人が衝突した場合に、騒音が生じること、ルーバー１２が破損すること及びパーティション１が倒れることを防止できる。また、ルーバー１２は、外力によって衝撃を吸収又は緩和するときに変形するが、その後外力の印加が解除されると、ルーバー１２の特性によって復元する。このため、パーティション１は、外観が変わることを防止できる。
【００５３】
また、パーティション１は、係合部３２にバンド部３１に対して回転可能な返し部３２ｂを設けることで、ルーバー１２を第２フレーム２２に容易に取り付けることが可能となる。特に、バンド部３１に取り付けた係合部３２を第２フレーム２２の孔部２２ａに挿入するだけでよいことから、パーティション１を製造工場で組み立てる場合だけでなく、販売先で組み立てる場合であっても、特段煩雑な工程を要することなく、簡単にパーティション１を組み立てることが可能となる。
【００５４】
また、ルーバー１２を第２フレーム２２から取り外す場合には、開口部２２ｂから係合部３２を引っ張り、返し部３２ｂをバンド部３１に当接させて係合部３２を孔部２２ａに挿入することで、第２フレーム２２からルーバー１２を取り外すことができる。このため、パーティション１の分解を容易に行うことができる。このように、パーティション１は、組立作業及び分解作業において、高い作業性を有する。
【００５５】
また、複数のルーバー１２のうち、いずれかに汚れ等が生じた場合には、当該ルーバー１２のみを交換すればよい。例えば、オフィス等にパーティション１を用いる場合には、オフィス等における飲食時にルーバー１２が汚れる場合がある。このような場合においては、パーティション１全体を交換することなく、フレームカバー２３を外すことで、ルーバー１２のみを交換できることから、パーティション１の大部分を再度使用することが可能となる。このため、パーティション１の使用における維持コストも向上する。また、ルーバー１２のバンド部３１の色を変えることで、容易に模様替えなども可能であり、このため、パーティション１は、使用方法、デザイン性及び運用等において、高い自由度を有する。
【００５６】
また、ルーバー１２は、バンド部３１を引っ張り力によって伸長可能な構成とすることで、バンド部３１の長さ、バンド部３１に取り付ける係合部３２の位置、又は、第２フレーム２２間の距離等、製造上のバラツキが生じたとしても、バンド部３１の伸長によって当該バラツキを吸収できる。即ち、一対の係合部３２が第２フレーム２２の内面に係合するルーバー１２の長さであれば、バンド部３１の長さや係合部３２の取り付け位置が異なっていても、確実に一対の第２フレーム２２に取り付けることができる。
【００５７】
これにより、歩留まりを向上させることが可能となり、製造コストの低減、及び、製造したルーバー１２の信頼性を向上が可能となる。また、組立前のパーティション１を客先に納品した場合に、ルーバー１２がフレーム１１に取り付かない等の不具合を防止できる。
【００５８】
また、パーティション１は、ルーバー１２のバンド部３１の面方向が、換言すると、第２フレーム２２の孔部２２ａの長手方向が、第２フレーム２２の長手方向に対して交差する構成である。また、パーティション１の隣り合うルーバー１２は、パーティション１の正面視において、長手方向に直交する方向でバンド部３１が重なってフレーム１１に設けられる。これらの構成により、図２に示すようなパーティション１に対した正面視、図３に示すようなパーティション１の正面から左右の一方向にずれたパーティション１に対した斜視、及び、図４に示すような当該斜視よりもさらにずれた位置におけるパーティション１に対した斜視によって、パーティション１の奥行きの視認性が変わる。
【００５９】
即ち、パーティション１は、図２に示すように、正面視においてパーティション１の背面側を遮蔽し、図３及び図４に示すように、斜視の角度に応じて、パーティション１の背面側が見える領域を可変することが可能となる。これにより、パーティション１の背面に人間が立っている場合に、正面ではパーティション１の背面側は見えず、斜視によって背面の人間が見えるようになるが、当該斜視の角度、即ちパーティション１に対する立ち位置で、背面側の視認領域が可変する。また、フレーム１１の上下を逆にすることで、パーティション１の視認可能となる方向を替えることが可能となる。この構成により、適宜パーティション１の配置によって、パーティション１の背面を遮蔽すること及び視認させることができる。
【００６０】
また、パーティション１は、フレーム１１の上下を反転させることで、即ち、一対の第２フレーム２２のうちフレームカバー２３及び脚部１３を取り付ける側を交換することで、ルーバー１２の向きが変わる。このため、図１に示すように、同一のパーティション１を複数用いた場合に、パーティション１の奥行きが見える側を、パーティション１を正面視で右側及び左側のいずれかに容易に設定することが可能となる。これにより、例えば、パーティション１を用いて会議室を区画した場合には、立ち位置に応じた会議室内の視認の可否を設定できる。
【００６１】
これにより、パーティション１の使用時において高い自由度を提供することが可能となる。さらに言えば、同一のパーティション１で良いことから、部品点数が増えることなく、製造コストを低減できる。
【００６２】
また、パーティション１は、ルーバー１２間が開口することから、当該開口によって風の流路を構成することができ、オフィス等にパーティション１を配置した場合であっても、エアコン等の室内空間の温度調整において、室温のバラツキが生じることを極力防止できる。
【００６３】
さらに、パーティション１は、フレーム１１の第１フレーム２１及び第２フレーム２２に、係合する凹部２１ｄ及び突起部２２ｃを設け、凹部２１ｄは切欠部２１ｂを有する窪みであり、そして、突起部２２ｃは切欠部２１ｂに係合する第１部位２２ｄ及び凹部２１ｄ内に配置される第２部位２２ｅを有する。フレーム１１は、このような構成により、ネジ２４により第１フレーム２１及び第２フレーム２２を固定する前に、第１フレーム２１に対して水平方向に第２フレーム２２が移動することを防止できる。
【００６４】
結果、第１フレーム２１及び第２フレーム２２をネジ２４で固定する前に、第１フレーム２１及び第２フレーム２２を仮組することが可能となる。また、パーティション１の分解工程は、ルーバー１２を取り外した後にフレーム１１を分解するが、万が一、ルーバー１２を取り外す前に、フレーム１１を固定するネジ２４を取り外しても、ルーバー１２の復元力によって第２フレーム２２同士が近接する方向に分解することを極力防止できる。これは、復元力の方向の力は第１フレーム２１の長手方向に沿うことから、第１フレーム２１によって支持され、第１フレーム２１の長手方向に直交する方向の力は、凹部２１ｄ及び突起部２２ｃが係合することで支持されるためである。これにより、パーティション１は、高い安全性を有する。
【００６５】
また、ルーバー１２は、係合部３２を抜き加工によってブランク１３２を成形後に、折り曲げることで成形され、さらに、係合部３２をホッチキス（登録商標）等によってバンド部３１に固定する簡単な構成でよく、安価に製造することが可能となる。
【００６６】
上述したように本発明の一実施形態に係るパーティション１によれば搬送時に梱包の容積を低減できるとともに、軽量であって、且つ、外力により生じる衝撃をルーバー１２の変形により緩和でき、そして変形したルーバー１２は復元することが可能となる。
【００６７】
なお、本発明は上述した実施形態に限定されるものではない。上述した例では、パーティション１は、上下に位置する第２フレーム２２にルーバー１２を設ける構成を説明したがこれに限定されない。図１２に示す本発明の変形例に係るパーティション１Ａに示すように、縦に延びる第１フレーム２１にルーバー１２を設ける構成であってもよい。このようなパーティション１Ａは、第１フレーム２１に孔部２２ａ、開口部２２ｂ及び突起部２２ｃを設け、第２フレーム２２に端面２１ａを設け、一対の第１フレーム２１にルーバー１２を設ける構成とする。また、第１フレーム２１の開口部２２ｂを覆うために、フレームカバー２３は、第１フレーム２１に設け、脚部１３を一方の第２フレーム２２に設ける構成とする。このようなパーティション１Ａは、横方向にルーバー１２が延び、上下方向のいずれかからパーティション１の奥側を視認することが可能となる。
【００６８】
また、上述した例では、パーティション１、１Ａは、第２フレーム２２を第１フレーム２１よりも短く構成する例を説明したがこれに限定されず、第１フレーム２１及び第２フレーム２２の長さは、適宜設定可能である。例えば、フレーム１１のうち高さ方向に延びるフレームを短く構成とすれば、パーティション１、１Ａは、低い位置を区画又は遮蔽することが可能となり、また、正方形状のフレーム１１となるように構成してもよい。
【００６９】
また、上述した例では、バンド部３１に係合部３２を固定する固定手段として、固定具３３をホッチキス（登録商標）の留め針とする構成を説明したがこれに限定されない。例えば、固定具３３をクリップとし、当該クリップによってバンド部３１に係合部３２の固定部３２ａを固定する構成であってもよく、また、固定具３３を用いず、固定手段として、熱溶着によって係合部３２をバンド部３１に溶着させる構成であってもよい。
【００７０】
即ち、固定手段は、係合部３２をバンド部３１に固定したときに、バンド部３１に固定された係合部３２が第２フレーム２２の孔部２２ａを挿通可能な構成であって、孔部２２ａにバンド部３１が挿通された状態において一定の張力がバンド部３１に印加されているときに、係合部３２がバンド部３１から外れない構成であれば適宜設定できる。この他、本発明の要旨を逸脱しない範囲で種々変形実施可能である。
【符号の説明】
【００７１】
１…パーティション、１１…フレーム、１２…ルーバー、１３…脚部、２１…第１フレーム、２１ａ…端面、２１ｂ…切欠部、２１ｃ…雌螺子部、２１ｄ…凹部、２２…第２フレーム、２２ａ…孔部、２２ｂ…開口部、２２ｃ…突起部、２２ｄ…第１部位、２２ｅ…第２部位、２２ｆ…丸穴、２３…フレームカバー、２４…ネジ、３１…バンド部、３２…係合部、３２ａ…固定部、３２ｂ…返し部、３３…固定具、４１…ベース、１３２…ブランク、１３２ａ…圧痕。
【図１】
2018053672.tif 000003
【図２】
2018053672.tif 000004
【図３】
2018053672.tif 000005
【図４】
2018053672.tif 000006
【図５】
2018053672.tif 000007
【図６】
2018053672.tif 000008
【図７】
2018053672.tif 000009
【図８】
2018053672.tif 000010
【図９】
2018053672.tif 000011
【図１０】
2018053672.tif 000012
【図１１】
2018053672.tif 000013
【図１２】
2018053672.tif 000014